(57)【要約】【課題】  簡素でかつ既記録／未記録の切替りでも問題のないウォブル信号検出回路を提供する。【解決手段】  ２分割された受光素子２１からの各出力信号（Ａ＋Ｄ），（Ｂ＋Ｃ）を各々任意のゲインで変化させる２つの可変ゲイン増幅器２４，２５と、その各出力信号を検波する２つの検波器２７，２８と、その検波出力を比較する比較器２９と、この比較出力に基づき各可変ゲイン増幅器２４，２５のゲインを制御するゲイン制御手段３０と、可変ゲイン増幅器２４，２５からの各出力信号の差動演算を行いウォブル信号を出力する演算器２６と、を備える構成により、プッシュプル信号の各チャンネルのゲインバランスを合わせるＡＧＣ回路とすることによって、ＡＧＣ回路が一つで済むこととなり、各チャンネルにＡＧＣ回路を一つずつ持つ従来例に比べ回路規模を簡素化でき、ＩＣの外付けコンデンサも１つで済むためＩＣ端子数も減らすことができる。【選択図】    図４
2005353195.tif 000002
【特許請求の範囲】
【請求項１】
光記録媒体の記録面にウォブリングされて形成されたトラック上に照射された光スポットの前記記録面からの反射光を受光する前記トラックの接線方向に対してその受光領域が２分割された受光素子からの信号に基づいて前記トラックのウォブリングに応じたウォブル信号を検出するウォブル信号検出回路であって、
２分割された前記受光素子からの各出力信号を各々任意のゲインで変化させる２つの可変ゲイン増幅器と、
これらの可変ゲイン増幅器からの各出力信号を検波する２つの検波器と、
これらの検波器の出力を比較する比較器と、
この比較器の出力に基づき２系統のゲインがバランスするように前記各可変ゲイン増幅器のゲインを制御するゲイン制御手段と、
前記可変ゲイン増幅器からの各出力信号の差動演算を行いウォブル信号を出力する演算器と、
を備えることを特徴とするウォブル信号検出回路。
【請求項２】
前記検波器は、
前記各可変ゲイン増幅器出力の振幅成分を検出する第１の検波器と、
前記各可変ゲイン増幅器出力の平均レベルを検出する第２の検波器と、
これらの第１及び第２の検波器の一方を選択する切替手段と、
を備えることを特徴とする請求項１記載のウォブル信号検出回路。
【請求項３】
前記切替手段は、前記光記録媒体に情報を記録するときと前記光記録媒体に記録された情報を再生するときとで前記第１の検波器と前記第２の検波器とを選択切替えする、ことを特徴とする請求項２記載のウォブル信号検出回路。
【請求項４】
前記切替手段は、前記光記録媒体上の任意の位置から記録を開始するために光ピックアップをサーチ手段によって移動させるサーチ時には前記第２の検波器を選択する、ことを特徴とする請求項２記載のウォブル信号検出回路。
【請求項５】
前記切替手段は、記録動作開始後は前記第１の検波器を選択する、ことを特徴とする請求項４記載のウォブル信号検出回路。
【請求項６】
前記切替手段は、前記光記録媒体上に照射された光スポットが未記録部分に位置しているときには前記第２の検波器を選択し、前記光スポットが既記録部分に位置しているときには前記第１の検波器を選択する、ことを特徴とする請求項２記載のウォブル信号検出回路。
【請求項７】
前記ゲイン制御手段は、前記光記録媒体上に照射された光スポットが未記録部分に位置しているときには前記可変ゲイン増幅器のゲインを所定ゲインに固定する、ことを特徴とする請求項１記載のウォブル信号検出回路。
【請求項８】
前記ゲイン制御手段に対して前記可変ゲイン増幅器の制御速度として複数の速度を選択設定する手段を備え、当該手段は、前記光記録媒体への記録開始から所定時間は前記制御速度を速く設定する、ことを特徴とする請求項１記載のウォブル信号検出回路。
【請求項９】
記録面にウォブリングされて形成されたトラックを有する光記録媒体を回転駆動する回転駆動手段と、
光源、この光源からの光を前記光記録媒体の前記トラック上に光スポットとして集光照射させる対物レンズ、及び、前記トラックの接線方向に対してその受光領域が２分割されて前記光スポットの前記記録面からの反射光を受光する受光素子を有する光ピックアップと、
前記受光素子からの信号に基づいて前記トラックのウォブリングに応じたウォブル信号を検出する請求項１ないし８の何れか一記載のウォブル信号検出回路と、
このウォブル信号検出回路により検出されたウォブル信号に基づき少なくとも前記光記録媒体に対する記録を行う処理装置と、
を備える光ディスク装置。
【発明の詳細な説明】
【技術分野】
【０００１】
本発明は、光記録媒体の記録面にウォブリングされて形成されたトラックのウォブル信号を検出するウォブル信号検出回路、及び検出されたウォブル信号を利用して情報を記録又は再生する光ディスク装置に関する。
【背景技術】
【０００２】
記録系メディアでは一般的に予め各半径位置における線速度を正確に検出するため、トラックを蛇行（ウォブル）させるフォーマットが多く採用されている。これは主にＣＬＶ回転制御を行ったときにウォブル信号周波数が一定になるようにすることやウォブル信号にディスク面内の位置情報等を記録させておくことを目的としている。例えば、ＣＤ−ＲやＣＤ−ＲＷ（以降、ＣＤ−Ｒ／ＲＷと表記する)では標準速度で２２．０５ｋＨｚのウォブル信号に周波数変調によりＡＴＩＰ（Absolute Time In Pre-Groove）と呼ばれるディスク時間情報やディスク特性等が記録されている。また、ＤＶＤ＋ＲやＤＶＤ＋ＲＷ（以降、ＤＶＤ＋Ｒ／＋ＲＷと表記する)ではウォブルに位相変調を施す方式、ＤＶＤ−Ｒ／−ＲＷでは一定周波数のウォブル信号にＬＰＰ(Land Pre-Pit)と呼ばれるピットをトラックの溝と溝の間に記録しておく方式が各々採用されている。光ディスクドライブ装置はこれらウォブルやＬＰＰに予め記録されたディスク情報を読み取ることで未記録ディスクの任意の位置にアクセスし情報を記録・再生することが可能となる。
【０００３】
このようなウォブル信号を検出するため、光ディスクドライブ装置はトラックの接線方向に２分割された受光素子を備えている（例えば、特許文献１等参照）。２分割された各々の受光素子において受光したトラックからの反射光の差信号（プッシュプル信号）を求めることでウォブル信号が得られる。記録する前の光ディスクを再生するときと異なり、情報を記録した光ディスクを再生する場合や記録中の場合は記録データ信号成分（以降、ＲＦ信号と表記）がノイズとなりウォブル信号検出性能が低下してしまうという問題がある。理想的にはＲＦ信号成分はプッシュプル信号を求める減算処理において相殺されて無くなるはずであるが、光ピックアップ組み付け誤差や分割受光素子の感度誤差、ディスク偏心成分、対物レンズシフト移動等の変動要因により分割受光素子からの出力成分の信号レベル差が生じ、残留ノイズ成分が大きくなるという課題があった。
【０００４】
そのため、従来は、各受光素子チャンネルの信号振幅を一定とするＡＧＣ（Auto Gain Control）回路を差動演算前に挿入し、両チャンネルの振幅を一定にしてから差動演算するという方式が一般的である。例えば、特許文献２では、受光素子出力に振幅一定ＡＧＣでウォブル信号を検出する系と、固定ゲインを用いる系との両方を備え、データの既記録／未記録に応じて使い分けるようにしている。
【０００５】
【特許文献１】特開２００３−１７３５４０公報
【特許文献２】特許第３４５８５０２号公報
【発明の開示】
【発明が解決しようとする課題】
【０００６】
しかし、ＡＧＣ回路は回路規模も大きく、また、アナログ回路で実現するためにはキャパシタが必要となるため、ＩＣの外付けでキャパシタを実装することになり、ＩＣの端子数もその分多く必要となってしまう。そのため、より小規模で簡素化されたウォブル信号検出回路が要望されている。
【０００７】
また、光ディスクの未記録領域ではＲＦ信号振幅が無く一般的に微小なウォブル信号成分しかないため、ＡＧＣ回路が飽和し最大ゲインとなってしまう。未記録部分では元々ノイズ成分となるＲＦ信号がないためゲインバランスが崩れてもウォブル信号検出は問題なく行える。しかし、未記録部分と既記録部分との切替りや未記録部分から記録開始した際に大きなゲイン変動が発生することになり、その切替りの過渡的な状態でのウォブル信号検出が問題となる。この点、特許文献２の方式では、振幅一定ＡＧＣでウォブル信号を検出する系と、固定ゲインを用いる系との両方を備えているため、回路規模が大きくなってしまう。この点でも、より小規模で簡素化されたウォブル信号検出回路が要望されている。
【０００８】
本発明の目的は、簡素でかつ既記録／未記録の切替りでも問題のないウォブル信号検出回路を提供することである。
【課題を解決するための手段】
【０００９】
請求項１記載の発明は、光記録媒体の記録面にウォブリングされて形成されたトラック上に照射された光スポットの前記記録面からの反射光を受光する前記トラックの接線方向に対してその受光領域が２分割された受光素子からの信号に基づいて前記トラックのウォブリングに応じたウォブル信号を検出するウォブル信号検出回路であって、２分割された前記受光素子からの各出力信号を各々任意のゲインで変化させる２つの可変ゲイン増幅器と、これらの可変ゲイン増幅器からの各出力信号を検波する２つの検波器と、これらの検波器の出力を比較する比較器と、この比較器の出力に基づき２系統のゲインがバランスするように前記各可変ゲイン増幅器のゲインを制御するゲイン制御手段と、前記可変ゲイン増幅器からの各出力信号の差動演算を行いウォブル信号を出力する演算器と、を備える。
【００１０】
請求項２記載の発明は、請求項１記載のウォブル信号検出回路において、前記検波器は、前記各可変ゲイン増幅器出力の振幅成分を検出する第１の検波器と、前記各可変ゲイン増幅器出力の平均レベルを検出する第２の検波器と、これらの第１及び第２の検波器の一方を選択する切替手段と、を備える。
【００１１】
請求項３記載の発明は、請求項２記載のウォブル信号検出回路において、前記切替手段は、前記光記録媒体に情報を記録するときと前記光記録媒体に記録された情報を再生するときとで前記第１の検波器と前記第２の検波器とを選択切替えする。
【００１２】
請求項４記載の発明は、請求項２記載のウォブル信号検出回路において、前記切替手段は、前記光記録媒体上の任意の位置から記録を開始するために光ピックアップをサーチ手段によって移動させるサーチ時には前記第２の検波器を選択する。
【００１３】
請求項５記載の発明は、請求項４記載のウォブル信号検出回路において、前記切替手段は、記録動作開始後は前記第１の検波器を選択する。
【００１４】
請求項６記載の発明は、請求項２記載のウォブル信号検出回路において、前記切替手段は、前記光記録媒体上に照射された光スポットが未記録部分に位置しているときには前記第２の検波器を選択し、前記光スポットが既記録部分に位置しているときには前記第１の検波器を選択する。
【００１５】
請求項７記載の発明は、請求項１記載のウォブル信号検出回路において、前記ゲイン制御手段は、前記光記録媒体上に照射された光スポットが未記録部分に位置しているときには前記可変ゲイン増幅器のゲインを所定ゲインに固定する。
【００１６】
請求項８記載の発明は、請求項１記載のウォブル信号検出回路において、前記ゲイン制御手段に対して前記可変ゲイン増幅器の制御速度として複数の速度を選択設定する手段を備え、当該手段は、前記光記録媒体への記録開始から所定時間は前記制御速度を速く設定する。
【００１７】
請求項９記載の発明の光ディスク装置は、記録面にウォブリングされて形成されたトラックを有する光記録媒体を回転駆動する回転駆動手段と、光源、この光源からの光を前記光記録媒体の前記トラック上に光スポットとして集光照射させる対物レンズ、及び、前記トラックの接線方向に対してその受光領域が２分割されて前記光スポットの前記記録面からの反射光を受光する受光素子を有する光ピックアップと、前記受光素子からの信号に基づいて前記トラックのウォブリングに応じたウォブル信号を検出する請求項１ないし８の何れか一記載のウォブル信号検出回路と、このウォブル信号検出回路により検出されたウォブル信号に基づき少なくとも前記光記録媒体に対する記録を行う処理装置と、を備える。
【発明の効果】
【００１８】
請求項１記載の発明によれば、プッシュプル信号の各チャンネルのゲインバランスを合わせるＡＧＣ回路とすることによって、従来のようにゲイン増幅前のプッシュプル信号に対して個々にゲインバランス調整するのではなく、ゲイン増幅後のプッシュプル信号を検波・比較しその比較結果に基づいて２系統のゲインバランスを合わせるので、ＡＧＣ回路が一つで済むこととなり、各チャンネルにＡＧＣ回路を一つずつ持つ従来例に比べ回路規模を簡素化でき、ＩＣの外付けコンデンサも１つで済むためＩＣ端子数も減らすことができる。
【００１９】
請求項２記載の発明によれば、検波器として、プッシュプル信号の各チャンネルの振幅成分検出用と平均レベル検出用との２種類の検波器を持つことによって光記録媒体の種類や光記録媒体へのアクセス条件に応じてこれらの検波器を切替えることができ、最適なウォブル信号検出性能を得ることができる。
【００２０】
請求項３記載の発明によれば、光記録媒体に記録中のピット形成による反射率変化が大きい、例えば色素系の書換え不能な光記録媒体への記録における振幅検出を正確に行うことは困難であるが、記録中にはその平均レベルを検出してＡＧＣ動作を行うようにすることで記録中でも安定したウォブル信号検出が可能となる。
【００２１】
請求項４記載の発明によれば、記録開始のためのサーチ動作時にＡＧＣを平均レベル検出方式に切替えることによって未記録部分においてもＡＧＣゲインが飽和することなく両チャンネルのゲインバランスは保たれるため、記録開始時のＡＧＣゲイン変動が少なく記録開始直後も安定したウォブル信号検出ができる。
【００２２】
請求項５記載の発明によれば、記録中のウォブル信号検出方法として振幅検出の方が性能が高い場合は、記録開始前のサーチ時に平均レベル検出とした検波方法を振幅検出に切替えることでより安定したウォブル信号検出が可能となる。
【００２３】
請求項６記載の発明によれば、未記録部分では振幅方式での検出とすることによって、未記録部分から既記録部分へ移動したときの切替りでもゲイン変動が少なく安定したウォブル信号検出が可能となる。
【００２４】
請求項７記載の発明によれば、未記録部分ではＡＧＣゲインを所定ゲインに固定することによって、未記録部分から既記録部分へ移動したときの切替りでもゲイン変動が少なく安定したウォブル信号検出が可能となる。
【００２５】
請求項８記載の発明によれば、ＡＧＣゲインがずれた未記録状態から記録開始した場合でも、記録開始からＡＧＣ動作が整定する程度の間ＡＧＣの応答を速くすることによって記録開始時のウォブル信号検出乱れを最小限とすることができ、安定した記録ができる。
【００２６】
請求項９記載の発明によれば、請求項１ないし８記載のウォブル信号検出回路を備えるので、請求項１ないし８記載の発明と同様の作用・効果を奏することができる。
【発明を実施するための最良の形態】
【００２７】
本発明を実施するための最良の形態について図面を参照して説明する。図１は本実施の形態のウォブル信号検出回路が用いられる光ディスク装置の構成の一例を示す概略ブロック図である。
【００２８】
まず、光記録媒体１としてはその記録面にウォブリングされて形成されたトラックを有するものが用いられ、この光記録媒体１を回転駆動させる回転駆動手段としてのスピンドルモータ２が設けられている。また、レーザダイオード等の光源とレーザ光を集光する対物レンズや、光記録媒体１からの反射光を受光素子に導く光学系、フォーカシングサーボやトラッキングサーボを行うためのアクチュエータなどが搭載された光ピックアップ３が設けられている。その受光素子は、トラックの接線方向に対してその受光領域が２分割されて光スポットの記録面からの反射光を受光するように構成されている。
【００２９】
光ピックアップ３には検出された再生信号のフィルタリングとデジタル化等の処理を行う再生回路４が接続され、この再生回路４には生成されたユーザデータ成分のデータフォーマットを変換するデコーダ５が接続され、メモリ内蔵のＣＰＵ６を介して外部ホスト（図示せず）に送出する信号再生系が構成されている。
【００３０】
一方、記録すべき情報は外部ホストからＣＰＵ６を介してエンコーダ７に送られ、このエンコーダ７によりデータフォーマットを変換し、レーザ制御回路８で情報ビットに応じて光ピックアップ３内の光源の発光制御を行うことで光記録媒体１上に情報が書き込まれる。
【００３１】
また、光ピックアップ３中の２分割受光素子により検出された出力信号から演算回路９にてサーボ信号を生成し、サーボ回路１０にて光ピックアップ３の位置制御を行なう。サーボ回路１０ではクロック生成回路１１のクロック信号を基に光記録媒体１が搭載されているスピンドルモータ２の回転制御も行なう。
【００３２】
一方、演算回路９で演算された２分割受光素子の出力はウォブル信号検出回路１２に送られ、抽出されたウォブル信号を基にクロック生成回路１１ではディスク回転に追従した正確なクロックを生成する。また、物理アドレス情報を含んだウォブル信号はアドレス検出回路１３に送られ、アドレスデコーダ１４でアドレス情報に変換され、アクセス位置のアドレス情報を再生する。
【００３３】
このような光ディスク装置に関して、本実施の形態の特徴はウォブル信号検出回路１２にある。また、本実施の形態では、クロック生成回路１１、アドレス検出回路１３、アドレスデコーダ１４等により、ウォブル信号に基づき記録動作の制御等に供される処理装置が構成されている。
【００３４】
このウォブル信号検出回路説明に先立ち、その背景として、本実施の形態でも用いられている光ピックアップ受光系におけるトラック誤差信号の検出系として一般的な３ビームを用いた差動プッシュプル法（ＤＰＰ：Diffirential Push-Pull）について図２を参照して説明する。
【００３５】
３ビームのＤＰＰ法では、レーザ光源からのビームを回折格子によりメインビーム（非回折光＝０次光）対応のメインスポットＭと２つのサブビーム（１次回折光）対応のサブスポットＳ１，Ｓ２とに分ける。一般的な３ビーム法では、受光素子２１として、メインスポットＭの反射光を受光するための４分割（トラックの接線方向及びこれに直交する半径方向に関して各々２分割されている）したＰＤ：Ａ〜ＤとサブスポットＳ１，Ｓ２の反射光を受光するための２つのＰＤとの合計６個のＰＤを用いている。サブスポットＳ１，Ｓ２用のＰＤは各々トラックの接線方向に対してその受光領域が２分割されて受光領域Ｅ，Ｆ、Ｇ，Ｈを有し、かつ、トラッキング方向に対してトラックピッチの約１／２だけずらして照射されるように設定されている。
【００３６】
いま、メインスポットＭのトラックの接線方向に対して２分割された成分の差をメインプッシュプル信号成分（ＭＰＰ）とすると、
ＭＰＰ＝（Ａ＋Ｄ）−（Ｃ＋Ｂ）
と表される。１ビームによるプッシュプル法ではこれをトラック誤差信号（ＴＥ信号）として使用するが、メインプッシュプル信号成分ＭＰＰは対物レンズの位置ずれや対物レンズとディスク面との傾き（チルト）といった光軸ずれが発生したときにオフセットが生じてしまう。そこで、ＤＰＰ法では２つのサブスポットＳ１，Ｓ２の出力も併用し、
ＴＥ＝（Ａ＋Ｄ）−（Ｃ＋Ｂ）−Ｋ｛(Ｅ＋Ｇ）−（Ｆ＋Ｈ）｝
という演算を用いてトラック誤差信号ＴＥを生成するようにしている。ここで、ＫはメインスポットＭとサブスポットＳ１，Ｓ２との強度比率により決まる定数である。ＤＰＰ法では光軸ずれが発生するとメインスポットＭだけでなくサブスポットＳ１，Ｓ２にも同等のオフセットが発生するため、トラック誤差信号ＴＥとしてはオフセットがキャンセルされることになり光軸ずれに強いトラッキングサーボが実現される。
【００３７】
ところで、記録用光ディスクではディスク位置情報等を示すためにトラックとなるグルーブに予めウォブルと呼ばれる蛇行信号が記録してある。例えば、ＣＤ−Ｒ／ＲＷでは記録するＲＦ信号の基本クロック４．３２１８ＭＨｚに対して十分低い２２．０５ｋＨｚがウォブル信号の基本周波数として用いられており、これに周波数変調することでＡＴＩＰと呼ばれる時間情報等が記録されている。また、ＤＶＤ＋ＲＷではＲＦ信号の基本クロック２６．１６ＭＨｚに対して非常に近い８１８ｋＨｚがウォブル信号周波数帯として用いられている。これは基本クロック周期をＴとするとウォブル周期は３２Ｔにあたる。この３２Ｔ周期のウォブル信号に位相変調方式を用いてＡＤＩＰと呼ばれるアドレス情報等が記録されている。ＤＶＤ−Ｒ／−ＲＷでは一定周波数のウォブル信号にＬＰＰ(Land Pre-Pit)と呼ばれるピットをトラックの溝と溝の間に記録しておく方式が用いられている。
【００３８】
このウォブル信号はメインビームのプッシュプル信号成分（Ａ＋Ｄ）−（Ｂ＋Ｃ）を検出することで得られる。検出したウォブル信号をアドレスデコーダ１４でアドレス情報に変換することで記録再生のための位置情報が得られる。
【００３９】
ここに、ＲＦ信号が記録されていない未記録部分ではノイズ成分がほとんどないため、仮に、（Ａ＋Ｄ），（Ｂ＋Ｃ）の各チャンネル間にゲイン差があってもそれはオフセットとなるだけであり、ウォブル信号検出は問題なく行える。しかし、ＲＦ信号が記録されている既記録部分ではチャンネル間のゲイン差があると、ウォブル信号検出時にＲＦ信号からのクロストークが問題となってくる。ウォブル即ちグルーブの蛇行は（Ａ＋Ｄ）と（Ｂ＋Ｃ）とが逆相であるのに対し、ＲＦ信号は同相であるため、理想的にはその差分を演算すれば、ＲＦ成分のみキャンセルされ、ウォブル信号のみが２倍の振幅で得られるはずである。しかし、実際にはディスクの偏心や光軸ずれ、分割受光素子出力のアンバランス等の影響により完全にはＲＦ信号の影響をキャンセルすることは難しい。
【００４０】
これに対し従来のウォブル信号検出回路では図３に示すように振幅一定のＡＧＣ（Auto Gain Control）回路を用いることが多い。即ち、（Ａ＋Ｄ）成分と（Ｂ＋Ｃ）成分との差分を差動増幅器１０１で演算するに先立ち、各々の（Ａ＋Ｄ）成分と（Ｂ＋Ｃ）成分とに関してＡＧＣ回路１０２，１０３によりその振幅を一定にするようにしている。このような振幅一定のＡＧＣ回路１０２，１０３を用いることで、（Ａ＋Ｄ）成分と（Ｂ＋Ｃ）成分とに含まれるＲＦ信号振幅を等しくし、プッシュプル信号演算時の同相除去比を上げるようにしている。
【００４１】
しかし、ＡＧＣ回路は回路規模も大きくまたアナログ回路で実現するためにはキャパシタが必要となるため、ＩＣの外付けでキャパシタを実装することになりＩＣの端子数もその分多く必要となってしまう。そのため、より小規模で簡素化されたウォブル信号検出回路が要望されている。
【００４２】
図４はこの要望に応える本実施の形態のウォブル信号検出回路１２の一例を示すブロック図である。このウォブル信号検出回路１２では、受光素子２１中の、メインスポットＭの反射光を受光するための４分割（トラックの接線方向及びこれに直交する半径方向に関して各々２分割されている）したＰＤ：Ａ〜Ｄを用いるものとする。もっとも、受光素子２１の構成例としても図２中に例示したようなＡないしＨのように分割構成に限られない。要は、メインスポットＭからメインプッシュプル信号又は再生信号を含む信号と、メインスポットＭからの検出信号を補正するための信号がサブスポットＳ１，Ｓ２から得られるように構成したものであればよい。さらに、３ビームを必要としないウォブル信号の検出方法にあっては、要はプッシュプル信号を得ることができればよいので、この場合には１ビームによるトラック情報の検出、記録であってもよい。
【００４３】
まず、分割受光素子Ａ，Ｄに対してその加算信号を得る加算器２２と、分割受光素子Ｂ，Ｃに対してその加算信号を得る加算器２３とが設けられ、信号系が２チャンネル構成とされている。これらの加算器２２，２３から得られる出力信号（Ａ＋Ｄ），（Ｂ＋Ｃ）の各々に対しては任意にゲインが可変できる可変ゲイン増幅器２４，２５が設けられ、さらに、これらの可変ゲイン増幅器２４，２５から得られる出力信号間の差動演算を行なってウォブル信号を出力する差動アンプ（演算器）２６が設けられている。さらに、可変ゲイン増幅器２４，２５の出力側には各々の出力信号を検波する検波器２７，２８が設けられ、これらの検波器２７，２８間には検波出力同士を比較する比較器２９が設けられている。この比較器２９の出力側には比較出力に基づき可変ゲイン増幅器２４，２５のゲインを制御するゲイン指令手段（ゲイン制御手段）３０が設けられている。
【００４４】
即ち、ゲイン指令手段３０は、検波器２７，２８による検波出力同士の比較器２９による比較の結果、仮に（Ａ＋Ｄ）の方が（Ｂ＋Ｃ）より大きければ（Ａ＋Ｄ）側の可変ゲイン増幅器２４のゲインを下げ、（Ｂ＋Ｃ）側の可変ゲイン増幅器２５のゲインを上げるといった相補的な動きをする。従って、本実施の形態によれば、従来のようにゲイン増幅前のプッシュプル信号（Ａ＋Ｄ），（Ｂ＋Ｃ）に対して個々の系統毎にゲインバランス調整するのではなく、ゲイン増幅後のプッシュプル信号を検波・比較しその比較結果に基づいて２系統のゲインバランスを合わせるので、両チャンネルのゲインバランスをとるＡＧＣ回路方式（以下、バランスＡＧＣと呼ぶ）によりＡＧＣ回路を簡素な構成で実現することができる。
【００４５】
ウォブル信号検出回路の別の実施の形態を図５により説明する。図５は本実施の形態のウォブル信号検出回路１２Ａの構成例を示す概略ブロック図である。本実施の形態では、検波器２７，２８に関して、各々可変ゲイン増幅器２４，２５出力の振幅成分を検出する振幅レベル検出器（第１の検波器）２７ａ，２８ａと、各々可変ゲイン増幅器２４，２５出力の平均レベルを検出する平均レベル検出器（第２の検波器）２７ｂ，２８ｂと、これらの検出器の一方を選択信号に応じて選択切替するスイッチ（切替手段）２７ｃ，２８ｃと、により構成したものである。即ち、図４に示したようなバランスＡＧＣ回路を基本とし、その検波方式として信号振幅を検出する方式（以下、ＡＣ検波と呼ぶ）と信号の平均レベルを検出する方式（以下、ＤＣ検波と呼ぶ）との２つを選択できるようにしたものである。
【００４６】
光記録媒体１に記録された情報を再生するときのウォブル信号検出は振幅レベルを等しくしてＲＦ信号の同相除去率を高めるようにすべきであるため、ＡＣ検波方式が望ましい。これは光記録媒体１への記録時でも同様である。しかし、光記録媒体１の未記録領域では図６の模式図に示すようにＲＦ信号振幅が無く、ＡＣ検波方式ではウォブル信号成分を検波することになる。ウォブル信号は特に減算前では微小信号であるためその振幅比較を行おうとしてもどうしても誤差が生じてしまう。その結果、本来のあるべきゲインバランスとは異なるゲインが各チャンネルにかかることになり、ひどい場合には各可変ゲイン増幅器２４，２５のゲインが大小逆のゲインで飽和した状態になってしまう。未記録領域のウォブル信号はノイズも無いため少々ゲインバランスが崩れても読むことは問題なくできるが、このずれたゲインバランスの状態で既記録領域に突入した場合、バランスＡＧＣ動作が整定するまでＲＦノイズが除去できずウォブル信号が読めなくなる。
【００４７】
この切替りの過渡状態での問題は再生から記録への切替りでより問題となる。例えば、ＤＶＤ＋Ｒメディアへの記録時は記録データのクロック生成にウォブル信号を用いているため、記録時のウォブル信号の乱れは記録エラーへとつながってしまう。既記録領域からの追記時はバランスＡＧＣのゲイン変動はあまり大きくないため問題になりにくいが、特に未記録領域からの記録時に前記ゲイン変動がないようにする必要がある。そこで、本実施の形態では、再生時にはバランスＡＧＣの検波方式をＤＣ検波とし（選択信号により平均レベル検波器２７ｂ，２８ｂを選択）、記録開始と同時にＡＣ検波へと切替える（選択信号により振幅レベル検波器２７ａ，２８ａを選択）。この場合、回路構成としては、図７に示すように、記録開始信号と未記録領域と既記録領域とを区別する記録領域検出信号とに基づき選択信号を生成する選択信号生成手段３１を設け、記録開始信号に基づきスイッチ２７ｃ，２８ｃを切替える構成とすればよい。ＤＣ方式であれば図６に示すように（Ａ＋Ｄ），（Ｂ＋Ｃ）の各チャンネルの信号レベルを未記録状態でも正しく検波、比較することができる。そして記録開始とともにＡＣ検波に切替える。なお、未記録領域と既記録領域とを区別する記録領域検出信号に関しては、特許文献１等に示される周知の技術を利用すればよい。
【００４８】
さらには、本実施の形態の変形例としては、通常の再生時ではＡＣ検波を用い、記録開始のために光ピックアップ３を光記録媒体１の任意の位置へ移動するサーチ時にはＤＣ検波方式に切替えることで記録開始時の過渡的なゲイン変動を抑えることができる。
【００４９】
ところで、図８に示すＤＶＤ＋Ｒなどの色素系メディアへの記録時などは記録中の記録パルス立上り形状が立上り部分のみが鋭くて高く、その振幅レベルの検出は困難で誤差が大きくなってしまうことが多い。そのような場合には再生時だけでなく記録中でもＤＣ検波方式が用いられる。しかし、図９に示すような相変化メディアの記録波形の場合は色素系メディアのような鋭い立上り波形にはならないためＡＣ検波も正しく行える。そこで、本実施の形態の別の変形例としては、記録開始後にＡＣ検波へ切替え（選択信号により振幅レベル検波器２７ａ，２８ａを選択）、振幅レベルを検波して比較する方式も有効である。
【００５０】
また、本実施の形態の他の変形例として、前述した未記録領域から既記録領域への突入時における過渡状態で安定したウォブル信号検出を行うため、図７に示す構成において、光スポットが照射されている部分が未記録部分であるか既記録部分であるかを記録領域検出信号により判断し、未記録領域であった場合はＤＣ検波方式に切替える（選択信号により平均レベル検波器２７ｂ，２８ｂを選択）ようにする方式も有効である。また、未記録領域であった場合にはゲイン指令手段３０によって可変ゲイン増幅器２４，２５のゲインをある固定ゲインに固定させる方式も有効である。
【００５１】
ウォブル信号検出回路のさらに別の実施の形態を図１０により説明する。図１０は本実施の形態のウォブル信号検出回路１２Ｂの構成例を示す概略ブロック図である。本実施の形態では、図４に示した構成において、ゲイン指令手段３０に対して可変ゲイン増幅器２４，２５の制御速度として複数の速度を選択設定する応答速度設定手段３２を備え、応答速度設定手段３２により光記録媒体１への記録開始から所定時間は制御速度を速く設定するようにしたものである。即ち、記録開始信号が与えられる記録開始時から所定期間は可変ゲイン増幅器２４，２５の応答速度を速くすることで記録開始後いち早く可変ゲイン増幅器２４，２５のゲインを収束させることで過渡状態においても問題なくウォブル信号を検出することができる。
【図面の簡単な説明】
【００５２】
【図１】本発明の一実施の形態のウォブル信号検出回路が用いられる光ディスク装置の構成の一例を示す概略ブロック図である。
【図２】ＤＰＰ法について説明するための模式図である。
【図３】従来のウォブル信号検出回路の構成例を示す概略ブロック図である。
【図４】本実施の形態のウォブル信号検出回路の構成例を示す概略ブロック図である。
【図５】別の実施の形態のウォブル信号検出回路の構成例を示す概略ブロック図である。
【図６】未記録領域と既記録領域とにおける検波レベルの様子の一例を示す波形図である。
【図７】ウォブル信号検出回路の変形構成例を示す概略ブロック図である。
【図８】色素系メディアへの記録時波形を示す波形図である。
【図９】相変化メディアへの記録時波形を示す波形図である。
【図１０】さらに別の実施の形態のウォブル信号検出回路の構成例を示す概略ブロック図である。
【符号の説明】
【００５３】
１      光記録媒体
２      回転駆動手段
３      光ピックアップ
１２      ウォブル信号検出回路
１１，１３，１４      処理装置
２１      受光素子
２４，２５      可変ゲイン増幅器
２６      演算器
２７，２８      検波器
２７ａ，２８ａ      第１の検波器
２７ｂ，２８ｂ      第２の検波器
２７ｃ，２８ｃ      切替手段
２９      比較器
３０      ゲイン制御手段
３２      複数の速度を選択設定する手段
【図１】
2005353195.tif 000003
【図２】
2005353195.tif 000004
【図３】
2005353195.tif 000005
【図４】
2005353195.tif 000006
【図５】
2005353195.tif 000007
【図６】
2005353195.tif 000008
【図７】
2005353195.tif 000009
【図８】
2005353195.tif 000010
【図９】
2005353195.tif 000011
【図１０】
2005353195.tif 000012